(57)【要約】      （修正有）【課題】スライドファスナー用スライダーの組立工程を簡単化でき、製造工程全体を簡単化でき、製造コストを低減できるスライダーを提供する。【解決手段】突起部は、上翼部１１の上面に設けられると共に、スライダー１の一端にある。連接部１３は、スライダーの他端にある。引手２の一端には把持部が形成され、把持部が形成された一端と相対する引手の他端には貫通口を形成したことによって位置付け部が形成される。引手は上翼部の上面にある。スライダーの突起部１４は引手の貫通口に挿入される。固定部３は、上翼部の上面に係止されており、凹口を有する基部を備える。基部は位置付け部の上方にある。基部に形成された凹口には、その一端縁から下方へ延伸してなるストッパーが設けられる。位置付け部は突起部とストッパーとの間にある。これにより、一体成形してなる固定部のストッパーによって位置付け部の移動を制限することができる。【選択図】図３
0003173216.tif 000002
【実用新案登録請求の範囲】
【請求項１】
上翼部、下翼部、連接部及び突起部を含むスライダーであって、前記連接部の両端が前記上翼部と前記下翼部をそれぞれ連接しており、前記突起部が前記上翼部の上面に設けられると共に前記スライダーの一端にあり、前記連接部が前記スライダーの他端にあるように構成されるスライダーと、
前記上翼部の上面にあり、一端に把持部が形成され、前記把持部が形成された前記一端と相対する他端に貫通口を形成したことによって位置付け部が形成されており、前記スライダーの前記突起部が前記貫通口の内部にあるように構成される引手と、
前記上翼部の上面に係止される固定部であって、凹口を有する基部を備え、前記基部が前記位置付け部の上方にあり、前記基部に形成された前記凹口に前記凹口の一端縁から下方へ延伸してなるストッパーが設けられており、前記位置付け部が前記突起部と前記ストッパーとの間にあるように構成される固定部と、
を含むことを特徴とするスライドファスナー用スライダー。
【請求項２】
前記スライダーは、前記スライダーの一端にあると共に前記上翼部を貫通した収容口を更に含み、
前記連接部と前記収容口は前記スライダーの両端にそれぞれ位置することを特徴とする請求項１に記載のスライドファスナー用スライダー。
【請求項３】
前記収容口は前記スライダーの前記突起部に近い一端にあることを特徴とする請求項２に記載のスライドファスナー用スライダー。
【請求項４】
前記固定部の前記基部は、その一端が下方へ湾曲延伸してフック部を形成しており、その他端が下方へ湾曲延伸して係止部を形成することを特徴とする請求項３に記載のスライドファスナー用スライダー。
【請求項５】
前記固定部の前記フック部は、前記スライダーの前記収容口に挿設することを特徴とする請求項４に記載のスライドファスナー用スライダー。
【請求項６】
前記固定部の前記係止部は、前記スライダーの前記連接部に係止することを特徴とする請求項４又は５に記載のスライドファスナー用スライダー。
【請求項７】
前記連接部は凹状を呈することを特徴とする請求項１〜５のいずれか１項に記載のスライドファスナー用スライダー。
【請求項８】
前記固定部の前記基部と前記係止部との間には開口を有し、
前記スライダーの前記突起部は、前記固定部の前記開口に挿設されることを特徴とする請求項４に記載のスライドファスナー用スライダー。
【請求項９】
前記引手は、前記位置付け部に連接すると共に前記貫通口の内部に延伸する当接部を更に含むことを特徴とする請求項８に記載のスライドファスナー用スライダー。
【請求項１０】
前記固定部は一体成形してなるものであることを特徴とする請求項１、２、３、４、５、８、９のいずれか１項に記載のスライドファスナー用スライダー。
【考案の詳細な説明】
【技術分野】
【０００１】
本考案は、スライドファスナー用スライダーに関し、特に引手の移動を制限するスライドファスナー用スライダーに関するものである。
【背景技術】
【０００２】
スライドファスナーは服装、服飾品、又はアクセサリーなどによく使用されている一つの基本要素である。ボタンに比べると、スライドファスナーはより好ましい使用利便性を有する。スライドファスナーはスライダーとファスナーテープを有する。スライダーはファスナーテープと共に、スライドファスナーの往復移動可能な連結ユニットとして使用される。現在、スライダーは、服装、ズボン、バックパックなどによく使用されている。
【考案の概要】
【考案が解決しようとする課題】
【０００３】
図１は従来のスライドファスナー用スライダーの断面模式図を示す。図１に示すように、スライドファスナー用スライダーは、スライダー１ａ、引手２ａ、固定部３ａ及び抜け止め要素４ａを含む。引手２ａは、スライダー１ａに設けられる。引手２ａの位置付け部２１ａは、スライダー１ａの突起部１１ａの後方にあると共に、抜け止め要素４ａの前方にある（即ち、位置付け部２１ａは突起部１１ａと抜け止め要素４ａとの間に設けられる）。これにより、ユーザーが引手２ａを操作すると、引手２ａの位置付け部２１ａが突起部１１ａから離れるように固定部３ａに挿設された抜け止め要素４ａの方向へ移動することによって、抜け止め要素４ａで引手２ａの移動距離を制限する。しかしながら、上述したスライドファスナー用スライダーは、スライドファスナー用スライダーの組立工程が複雑になること、製造工程全体が複雑になること、材料のコストが高騰してしまうことなどの欠点がある。
【課題を解決するための手段】
【０００４】
本考案に係るスライドファスナー用スライダーは、スライダー、引手及び固定部を含む。スライダーは、上翼部、下翼部、連接部及び突起部を含む。連接部の両端は上翼部と下翼部をそれぞれ連接する。突起部は、上翼部の上面に設けられると共に、スライダーの一端にある。連接部は、スライダーの他端にある。引手の一端には把持部が形成され、把持部が形成された一端と相対する引手の他端には貫通口を形成したことによって位置付け部が形成される。引手は上翼部の上面にある。スライダーの突起部は引手の貫通口に挿入される。固定部は、上翼部の上面に係止されており、凹口を有する基部を備える。基部は位置付け部の上方にある。基部に形成された凹口には、その一端縁から下方へ延伸してなるストッパーが設けられる。位置付け部は突起部とストッパーとの間にある。
【考案の効果】
【０００５】
本考案に係るスライドファスナー用スライダーによれば、固定部にはスライダーの移動を制限するための抜け止め要素を別途に形成することなく、一体成形してなる固定部のストッパーによって位置付け部の移動を制限することができるため、スライドファスナー用スライダーの組立工程を簡単化できること、製造工程全体を簡単化できること、製造コストを低減できることなどのメリットがある。
【図面の簡単な説明】
【０００６】
【図１】従来のスライドファスナー用スライダーの断面模式図である。
【図２】本考案に係るスライドファスナー用スライダーの取り付け図である。
【図３】本考案に係るスライドファスナー用スライダーの分解図である。
【図４】本考案に係るスライドファスナー用スライダーの他の角度の分解図である。
【図５】本考案に係るスライドファスナー用スライダーの平面図である。
【図６】図５におけるＡ−Ａ線の断面模式図である。
【考案を実施するための形態】
【０００７】
本考案の特徴及び技術内容をさらに理解するため、以下本考案に係る詳細な説明及び添付図面を参照することにより、深く且つ具体的な理解を得ることするが、それらの添付図面は参考及び説明のみに使用され、本考案の範囲を狭義的に制限するものではない。
【０００８】
図２〜図４を参照して説明する。図２は本考案に係るスライドファスナー用スライダーの取り付け図を示す。図３と図４は本考案に係るスライドファスナー用スライダーの異なる角度の分解図をそれぞれ示す。本考案に係るスライドファスナー用スライダーは、スライダー１、引手２及び固定部（例えば、爪体など）３を含む。スライダー１は、上翼部１１、下翼部１２、連接部１３及び突起部１４を含む。連接部１３の両端は上翼部１１と下翼部１２をそれぞれ連接する。突起部１４は、上翼部１１の上面１１１に設けられると共に、スライダー１の一端にある。連接部１３は、スライダー１の他端にある。引手２の一端には把持部２１が形成され、引手２の他端には貫通口２２を貫通したことによって引手２１の一端に形成された把持部２１と相対する位置付け部２３が形成される。引手２は上翼部１１の上面１１１に設けられる。スライダー１の突起部１４は引手２の貫通口２２に挿入される。固定部３は、上翼部１１の上面１１１に係止されており、凹口３２を有する基部３１を備える。基部３１は位置付け部２３の上方にある。基部３１に形成された凹口３２には、その一端縁から下方へ延伸してなるストッパー３３が設けられる。位置付け部２３は突起部１４とストッパー３３との間にある。スライダー１の連接部１３は凹状を呈する。
【０００９】
本実施例において、スライダー１は収容口１１２を更に含む。収容口１１２は、上翼部１１を貫通しており、スライダー１の一端にある。連接部１３は、スライダー１における収容口１１２と相対する他端にある。また、収容口１１２は突起部に近い一端にある。
【００１０】
本実施例において、固定部３の基部３１は、その一端が下方へ湾曲延伸してフック部３４を形成しており、その他端が下方へ湾曲延伸して係止部３５を形成する。また、固定部３のフック部３４はスライダー１の収容口１１２に挿設され、固定部３の係止部３５はスライダー１の連接部１３に係止される。また、固定部３の基部３１とフック部３４との間に更に開口３６が設けられる。スライダー１の突起部１４は固定部３の開口３６に挿設される。
【００１１】
本実施例において、引手２はプレート状を呈するようにしてもよく、固定部３は一体成形してなるものであってもよい。また、引手２は当接部２３１を更に含む。当接部２３１は、位置付け部２３に連接すると共に、貫通口２２の内部に延伸する。
【００１２】
図２〜図５と図６を参照して説明する。図５は本考案に係るスライドファスナー用スライダーの平面図を示す。図６は図５におけるＡ−Ａ線の断面模式図を示す。本考案に係るスライドファスナー用スライダーを組み立てる工程を説明する。先ず、スライダー１の突起部１４を引手２の貫通口２２の内部に挿入することによって、引手２をスライダー１の上翼部１１の上面１１１に設置する。これにより、スライダー１の突起部１４を引手２の貫通口２２の内部に位置させる。続いて、固定部３の一端にあるフック部３４をスライダー１の収容口１１２に挿設し、固定部３の他端にある係止部３５をスライダー１の凹状を呈する連接部１３の凹部に係止する。この状態で、固定部３の基部３１をスライダー１の上翼部１１の上面１１１の方向へ押すと、スライダー１の突起部１４が固定部３の基部３１とフック部３４との間にある開口３６を通過することによって、固定部３の係止部３５がスライダー１の連接部１３の凹部にしっかりと係止する。これにより、本考案に係るスライドファスナー用スライダーの組立作業が終了する。
【００１３】
続いて、ファスナーテープのエレメント列（図示せず）を分離又は噛合するための方向に本考案に係るスライドファスナー用スライダーをファスナーテープ（図示せず）に沿って摺動操作する場合について説明する。先ず、引手２の把持部２１を持ちながら、引手２の位置付け部２３が上翼部１１の上面１１１に当接してその上面１１１を回動支点として引手２を弧状軌跡方向に回動させることによって、把持部２１を連接部１３の方向に接近させる。また、引手２を回動させる際に、引手２の当接部２３１が固定部３に当接することによって上向きの作用力が生じる。この上向きの作用力で、固定部３のフック部３４を収容口１１２から抜け出させることによって、ファスナーテープのエレメント列を噛合する。また、引手２を操作することでファスナーテープのエレメント列を噛合すると、引手２の位置付け部２３が固定部３のストッパー３３に当接するようになっている。ここで注意すべき点は、ストッパー３３の形状は特に限定がない。上述したように、スライダー１によってファスナーテープのエレメント列を分離又は噛合させる場合、一体成形してなる固定部３は基部３１の下方にあるストッパー３３によって引手２の位置付け部２３がスライダー１の上翼部１１の上面１１１での移動距離を制限することで、引手２がスライダー１から脱出するのを有効に防ぐことができる。
【符号の説明】
【００１４】
１  スライダー
１１  上翼部
１１１  上面
１１２  収容口
１２  下翼部
１３  連接部
１４  突起部
２  引手
２１  把持部
２２  貫通口
２３  位置付け部
２３１  当接部
３  固定部
３１  基部
３２  凹口
３３  ストッパー
３４  フック部
３５  係止部
３６  開口
１ａ  スライダー
１１ａ  突起部
２ａ  引手
２１ａ  位置付け部
３ａ  固定部
４ａ  抜け止め要素
【図１】
0003173216.tif 000003
【図２】
0003173216.tif 000004
【図３】
0003173216.tif 000005
【図４】
0003173216.tif 000006
【図５】
0003173216.tif 000007
【図６】
0003173216.tif 000008